(57)【要約】  【課題】  利用者の利用目的に応じて画像読取手段、及び排出されたシートを収容するシート収容手段を昇降移動させることができる画像形成装置の提供。  【解決手段】  画像形成装置は、利用者の存在を検知した場合（Ｓ１１：ＹＥＳ）、利用者認証を行い（Ｓ１２）、認証された利用者のジョブ履歴があるか否かを出力管理テーブルを参照して判断する（Ｓ１３）。利用者のジョブ履歴があると判断した場合（Ｓ１３：ＹＥＳ）、利用者は排紙トレイに排出された用紙を受け取りにきたと判断し、スキャナユニット及び排紙ユニットを上昇させる（Ｓ１５，Ｓ１６）。また、利用者のジョブ履歴がないと判断した場合（Ｓ１３：ＮＯ）、コピー機能又はファクシミリ機能を利用すると判断し、スキャナユニットのみを上昇させる（Ｓ２０）。【選択図】      図１６
2005084438.tif 000002
【特許請求の範囲】
【請求項１】
画像データを受付ける画像受付手段と、原稿から画像データを読取る画像読取手段と、前記画像受付手段にて受付けた画像データ又は前記画像読取手段にて読取った画像データに基づきシート上に画像形成する画像形成手段と、画像形成したシートを排出するシート排出手段と、前記画像読取手段の下側に設けられており、排出したシートを収容する複数のシート収容手段とを備える画像形成装置において、
排出するシートの収容先を前記シート収容手段から選択する選択手段と、前記画像読取手段を昇降移動させる昇降手段と、前記選択手段が選択したシート収容手段にシートを収容した後、前記画像読取手段を上昇させるべきか否かを判断する判断手段とを備え、該判断手段が上昇させるべしと判断した場合、前記画像読取手段を上昇させるべくなしてあることを特徴とする画像形成装置。
【請求項２】
画像データの入力元が前記画像受付手段であるか、又は前記画像読取手段であるかを判断する手段を備え、前記選択手段は、前記手段の判断結果に基づき、排出するシートの収容先を選択すべくなしてあることを特徴とする請求項１に記載の画像形成装置。
【請求項３】
前記シート収容手段は、前記画像読取手段が読取った画像データに基づいて画像形成したシートを収容すべき第１シート収容部と、該第１シート収容部の下側に設けられており、前記画像受付手段が受付けた画像データに基づいて画像形成したシートを収容すべき第２シート収容部とを備えることを特徴とする請求項１又は請求項２に記載の画像形成装置。
【請求項４】
前記シート収容手段を昇降移動させる手段を更に備えることを特徴とする請求項１乃至請求項３の何れか一つに記載の画像形成装置。
【請求項５】
前記画像読取手段が読取った画像データに基づき画像形成したシートを排出した場合、前記画像読取手段を上昇させるべくなしてあり、前記画像受付手段が受付けた画像データに基づき画像形成したシートを排出した場合、前記画像読取手段及びシート収容手段を上昇させるべくなしてあることを特徴とする請求項１乃至請求項４の何れか一つに記載の画像形成装置。
【請求項６】
画像形成したシートの収容先に係る情報を記憶する記憶手段を備え、前記選択手段は、該記憶手段に記憶した情報に基づいてシート収容手段を選択すべくなしてあることを特徴とする請求項１乃至請求項５の何れか一つに記載の画像形成装置。
【請求項７】
画像形成したシートの収容先を設定する情報を受付ける手段と、受付けた情報に基づき前記記憶手段に記憶した情報を変更する手段とを備えることを特徴とする請求項６に記載の画像形成装置。
【発明の詳細な説明】
【技術分野】
【０００１】
本発明は、利用者の利用目的に応じて画像読取手段、及び排出されたシートを収容するシート収容手段を昇降移動させることができる画像形成装置に関する。
【背景技術】
【０００２】
原稿画像をアナログ式の複写機を利用して複写する環境から、通信ネットワーク下にパーソナルコンピュータ等の情報処理装置と複合機等の画像形成装置とを接続したシステムを構築して、情報処理装置から電子化された画像データを送信し、画像形成装置に印刷等の処理を実行させる環境への移行が進んでいる。
【０００３】
このようなシステムでは、原稿画像を電子データにより送信して印刷を行わせることができ、ＨＤＤ装置（HDD : Hard Disk Drive）等の記憶手段に電子データを記憶させて管理することができるため利便性が向上するという利点を有するが、電子データ化された文書の情報は、容易に複写、改竄、転送等が可能となるため、データの管理において機密性の保護の強化が望まれている。
【０００４】
また、画像形成装置から離れた場所に設置された情報処理装置から処理の依頼が可能となるため、例えば、プリンタ機能を利用した出力指示においては、印刷ジョブを情報処理装置側から画像形成装置に対して送信した後、実際に利用者が出力された記録物を取りに来るまでの間、排紙トレイ上に記録物が放置された状態となっている。特に、複数ページに亘るようなデータを出力指示した利用者は、印刷が完了した頃を見計らって出力された記録物を取りに行くため、排紙トレイ上に出力された記録物が別の利用者に見られることがあり、また、誤って持ち出されて紛失する虞があるという問題点を有していた。
【０００５】
そこで、従来では情報処理装置から送信された印刷ジョブを一時的に蓄積しておき、利用者がパスワードの入力を行って認証がとれた段階で出力を開始する親展印刷機能を搭載した画像形成装置が提案されている（例えば、特許文献１参照）。
【特許文献１】特開昭６０−２５３８５号公報
【発明の開示】
【発明が解決しようとする課題】
【０００６】
しかしながら、特許文献１に記載された画像形成装置では、パスワードによる認証がとれた段階で蓄積している印刷ジョブに基づき印刷処理を実行し、出力を開始する構成であるため、利用者は記録物が出力されるまで画像形成装置の近傍で待機していなければならないという問題点を有している。また、印刷処理又は出力処理が実施されている間に利用者が画像形成装置の側を離れた場合、排紙トレイ上に記録物が放置されることとなるため、親展印刷機能を利用した意味がなくなり、別の利用者による情報の漏洩が起こりえるという問題点を有している。
【０００７】
本発明は斯かる事情に鑑みてなされたものであり、画像形成したシートを収容する複数のシート収容手段と、排出するシートの収容先を選択する選択手段とを備え、選択されたシート収容手段にシートを排出した後、シート収容手段の上側に設けられた画像読取手段を上昇させるべきか否かを判断し、上昇させるべしと判断した場合、画像読取手段を上昇させる構成とすることにより、画像形成を指示するジョブを効率良く処理することができ、処理を依頼した利用者が記録物を確実に受け取れるようにした画像形成装置を提供することを目的とする。
【課題を解決するための手段】
【０００８】
本発明に係る画像形成装置は、画像データを受付ける画像受付手段と、原稿から画像データを読取る画像読取手段と、前記画像受付手段にて受付けた画像データ又は前記画像読取手段にて読取った画像データに基づきシート上に画像形成する画像形成手段と、画像形成したシートを排出するシート排出手段と、前記画像読取手段の下側に設けられており、排出したシートを収容する複数のシート収容手段とを備える画像形成装置において、排出するシートの収容先を前記シート収容手段から選択する選択手段と、前記画像読取手段を昇降移動させる昇降手段と、前記選択手段が選択したシート収容手段にシートを収容した後、前記画像読取手段を上昇させるべきか否かを判断する判断手段とを備え、該判断手段が上昇させるべしと判断した場合、前記画像読取手段を上昇させるべくなしてあることを特徴とする。
【０００９】
本発明にあっては、複数設けられたシート収容手段のうち選択されたシート収容手段にシートを排出し、その後、シート収容手段の上側に設けられた画像読取手段を上昇させるべきか否かを判断し、上昇させるべしと判断した場合に画像読取手段を上昇させるようにしているため、画像形成したシートを排出している段階では画像読取手段をシート収容手段のすぐ上側で停止させておき、利用者が受け取りに来たときに構造物を上昇を開始させるような制御が可能となり、排出されたシートに記載された情報の漏洩が防止されると共に、排出されたシートの受け取りが容易となる。
【００１０】
本発明に係る画像形成装置は、画像データの入力元が前記画像受付手段であるか、又は前記画像読取手段であるかを判断する手段を備え、前記選択手段は、前記手段の判断結果に基づき、排出するシートの収容先を選択すべくなしてあることを特徴とする。
【００１１】
本発明にあっては、画像データの入力元が画像受付手段であるか、又は画像読取手段であるかにより、シートの排出先を選択するようにしているため、例えば、画像形成装置から離隔した位置に設置された情報処理装置からの画像データに関しては、外部から容易に見えないシート収容手段に排出し、画像読取手段で読取った画像データに関しては、利用者が容易に取り出しやすいシート収容手段に排出することにより、排出されたシートの機密性が確保されると共に、利用者の利便性が向上する。
【００１２】
本発明に係る画像形成装置は、前記シート収容手段は、前記画像読取手段が読取った画像データに基づいて画像形成したシートを収容すべき第１シート収容部と、該第１シート収容部の下側に設けられており、前記画像受付手段が受付けた画像データに基づいて画像形成したシートを収容すべき第２シート収容部とを備えることを特徴とする。
【００１３】
本発明にあっては、画像読取手段が読取った画像データについては第１シート収容手段に収容し、画像受付手段が受付けた画像データについては第１シート収容手段の下側に設けられた第２シート収容手段に収容することにより、例えば、画像形成装置から離隔した位置に設置された情報処理装置からの画像データに関しては、外部から容易に見えないシート収容手段に排出し、画像読取手段で読取った画像データに関しては、利用者が容易に取り出しやすいシート収容手段に排出することにより、排出されたシートの機密性が確保されると共に、利用者の利便性が向上する。
【００１４】
本発明に係る画像形成装置は、前記シート収容手段を昇降移動させる手段を更に備えることを特徴とする。
【００１５】
本発明にあっては、シート収容手段を昇降移動させる手段を備えているため、排出されたシートを取り出し易いような位置までシート収容手段を上昇させることができ、利便性及び操作性が向上する。
【００１６】
本発明に係る画像形成装置は、前記画像読取手段が読取った画像データに基づき画像形成したシートを排出した場合、前記画像読取手段を上昇させるべくなしてあり、前記画像受付手段が受付けた画像データに基づき画像形成したシートを排出した場合、前記画像読取手段及びシート収容手段を上昇させるべくなしてあることを特徴とする。
【００１７】
本発明にあっては、画像読取手段が読取った画像データに基づいて画像形成したシートを排出した場合、画像読取手段を上昇させるようにしてあり、画像受付手段が受付けた画像データに基づき画像形成したシートを排出した場合、画像読取手段及びシート収容手段を上昇させるようにしているため、利用者が排出されたシートを受け取りにきた場合には、排出されたシートを取り出し易いような位置までシート収容手段を上昇させることができ、利便性及び操作性が向上する。
【００１８】
本発明に係る画像形成装置は、画像形成したシートの収容先に係る情報を記憶する記憶手段を備え、前記選択手段は、該記憶手段に記憶した情報に基づいてシート収容手段を選択すべくなしてあることを特徴とする。
【００１９】
本発明にあっては、画像形成したシートの収容先に係る情報を記憶する記憶手段を備え、該記憶手段に記憶された情報に基づいてシートの排出先を選択するようにしている。したがって、利用者の利用目的に応じて排出先を定めることが可能となるため利便性が向上する。
【００２０】
本発明に係る画像形成装置は、画像形成したシートの収容先を設定する情報を受付ける手段と、受付けた情報に基づき前記記憶手段に記憶した情報を変更する手段とを備えることを特徴とする。
【００２１】
本発明にあっては、画像形成したシートの収容先を設定する情報を受付けるようにしているため、利用者の利用目的に応じてシートの収容先を変更することが可能となり、利便性が向上する。
【発明の効果】
【００２２】
本発明による場合は、複数設けられたシート収容手段のうち選択されたシート収容手段にシートを排出した後、シート収容手段の上側に設けられた画像読取手段を上昇させるべきか否かを判断結果に応じて画像読取手段を上昇させるようにしているため、画像形成したシートを排出している段階では画像読取手段をシート収容手段のすぐ上側で停止させておき、利用者が受け取りに来たときに構造物を上昇を開始させるような制御が可能であり、排出されたシートに記載された情報の漏洩を防止することができると共に、利用者は排出されたシートを容易に受け取ることができる。
【００２３】
また、本発明による場合は、画像データの入力元が画像受付手段であるか、又は画像読取手段であるかにより、シートの排出先を選択するようにしているため、例えば、画像形成装置から離隔した位置に設置された情報処理装置からの画像データに関しては、外部から容易に見えないシート収容手段に排出して、排出されたシートの機密性を確保することができると共に、画像読取手段で読取った画像データに関しては、利用者が容易に取り出しやすいシート収容手段に排出することにより、利便性の向上を図ることが可能となる。
【００２４】
更に、本発明による場合は、画像読取手段が読取った画像データについては第１シート収容手段に収容し、画像受付手段が受付けた画像データについては第１シート収容手段の下側に設けられた第２シート収容手段に収容することにより、例えば、画像形成装置から離隔した位置に設置された情報処理装置からの画像データに関しては、外部から容易に見えないシート収容手段に排出して機密性を確保し、画像読取手段で読取った画像データに関しては、利用者が容易に取り出しやすいシート収容手段に排出することにより、利便性の向上を図ることが可能となる。
【００２５】
更に、本発明による場合は、シート収容手段を昇降移動させる手段を備えているため、排出されたシートを取り出し易いような位置までシート収容手段を上昇させることができ、利便性及び操作性の向上を図ることができる。
【００２６】
更に、本発明による場合は、画像読取手段が読取った画像データに基づいて画像形成したシートを排出した場合、画像読取手段を上昇させるようにしてあり、画像受付手段が受付けた画像データに基づき画像形成したシートを排出した場合、画像読取手段及びシート収容手段を上昇させるようにしているため、利用者が排出されたシートを受け取りにきた場合には、排出されたシートを取り出し易いような位置までシート収容手段を上昇させることができ、利便性及び操作性の向上を図ることができる。
【００２７】
更に、本発明による場合は、画像形成したシートの収容先に係る情報を記憶する記憶手段を備え、該記憶手段に記憶された情報に基づいてシートの排出先を選択するようにしている。したがって、利用者の利用目的に応じて排出先を定めることが可能となるため利便性が向上させることができる。
【００２８】
更に、本発明による場合は、画像形成したシートの収容先を設定する情報を受付けるようにしているため、利用者の利用目的に応じてシートの収容先を変更することが可能となり、利便性を向上させることができる。
【発明を実施するための最良の形態】
【００２９】
以下、本発明をその実施の形態を示す図面に基づいて具体的に説明する。
【００３０】
図１は本発明に係る画像形成装置を利用した画像形成システムの構成を示す模式図である。図中１は、本発明の画像形成装置であり、本実施の形態ではプリンタ機能、コピー機能、スキャナ機能、及びファクシミリ機能を有する複合機に適用した形態として説明する。画像形成装置１には通信ネットワークＮ１を介して複数の情報処理装置２，２，…，２が接続されており、ファクシミリ通信網Ｎ２を介して外部のファクシミリ装置３が接続されている。情報処理装置２は、具体的にはパーソナルコンピュータ、ワークステーション等であり、情報処理装置２には通信ネットワークＮ１を経由して画像形成装置１を利用するためのドライバプログラム（プリンタドライバ）が予めインストールされており、当該プリンタドライバにより印刷ジョブを生成し、生成した印刷ジョブを画像形成装置１に送信することによって印刷処理を実行させるようにしている。
【００３１】
以下、画像形成装置１の構成について説明する。
【００３２】
図２は待機状態における画像形成装置１の斜視図であり、図３は正面断面図である。画像形成装置１は、大別してスキャナユニット２０、プリンタユニット３０、給紙ユニット４０、及び排紙ユニット５０により構成されている。
【００３３】
画像形成装置１は、電子写真方式にて用紙上に画像形成を行うプリンタユニット３０、及び該プリンタユニット３０にて印刷された用紙を排出する排紙ユニット５０が外部から容易に視認できないように、前面部を前扉３０１ａ，３０１ｂにより囲い、側面部及び背面部を外壁部３００により囲うとともに、原稿の画像を読取るスキャナユニット２０により排紙ユニット５０の上側を覆う構成となっている。
【００３４】
また、スキャナユニット２０の背面部は支持体３１０により支持されており、該支持体３１０をスキャナ駆動部（図９参照）により昇降移動させてプリンタユニット３０及び排紙ユニット５０に近接した位置と離隔した位置との間でスキャナユニット２０を変位させるようにしている。このスキャナ駆動部は、例えば、昇降モータと、該昇降モータの回転軸に取り付けられたピニオン軸と、前記支持体３１０に固設されており、前記ピニオン軸に噛合する案内ガイドとにより構成されており、後述するスキャナ駆動制御部から出力される駆動制御信号に応じて昇降モータを回転駆動させ、該昇降モータの回転力を案内ガイドに伝達させることによりスキャナユニット２０を昇降移動させる構成となっている。
【００３５】
以下、各ユニットの構成について説明する。
【００３６】
スキャナユニット２０は、光源ユニット２４ａ、ミラーユニット２４ｂ、及びＣＣＤ読取ユニット２４ｃ（CCD : Charge Coupled Device）を備えており、光源ユニット２４ａ及びミラーユニット２４ｂを利用してプラテンガラス製の原稿台２００に載置された原稿の画像をＣＣＤ読取ユニット２４ｃにて読取る構成となっている。
【００３７】
光源ユニット２４ａは、原稿台２００の適宜位置に読取り用の照明光を照射する光源、原稿からの反射光の光路を９０°変更するために原稿台２００の面に対して反射面を４５°に設置されたミラー等を備えており、図に示していないステッピングモータにより原稿台２００の面に平行に移動し、原稿台２００に載置された原稿の全面又は選択された一部の領域に照明光を照射することができる。また、ミラーユニット２４ｂは、反射面が相互に直交するように配置された一対のミラーにより構成されており、光源ユニット２４ａのミラーにより反射された光の光路を更に１８０°変更する。ＣＣＤ読取ユニット２４ｃは、ＣＣＤ素子、ＡＤ変換器、ＤＳＰ（Digital Signal Processor）等を備えており、ミラーユニット２４ｂからＣＣＤ読取ユニット２４ｃに至る経路の中途に設けられた結像レンズによって原稿の画像をＣＣＤ素子に結像させ、該ＣＣＤ素子によって得られたアナログ信号をＡＤ変換器によりデジタル信号に変換する。そして、ＡＤ変換して得られたデジタル信号は、ＤＳＰにより原稿読取時の光源の配光特性、ＣＣＤ素子の感度ムラ等の補正がなされた後、デジタルの画像データとして後述するスキャナＩＦを通じて画像メモリに転送される（図９参照）。
【００３８】
更に、スキャナユニット２０は、複数の原稿を順次的に供給搬送する自動原稿搬送装置を備えており、多量の原稿を迅速に読み取るように構成されている。
【００３９】
プリンタユニット３０は、多色画像を形成するために各色毎の印字ユニット３４０ａ〜３４０ｄを搭載したタンデム方式の印字部３４を備えている。各印字ユニット３４０ａ，３４０ｂ，３４０ｃ，３４０ｄは、感光体ドラムを所定の電位に帯電させる帯電器、画像メモリ（図９参照）から転送されてきた画像データに基づいてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等により構成されており、電子写真方式により給紙ユニット４０から供給される用紙上に画像形成（印刷）を行う。
【００４０】
給紙ユニット４０は、サイズ、向き、材質等が異なる複数種の用紙を収容するための給紙カセット４０１，４０２，４０３を備えており、収容した用紙の先端近傍に位置するように夫々設けたピックアップローラ４０１ａ，４０２ａ，４０３ａによって一枚ずつ用紙を分離給送し、搬送ローラ３０１，３０１，３０１を回転駆動させることによって用紙を印字部３４へと搬送する。
【００４１】
以下、画像形成装置１により印刷処理を実行する際の動作について説明する。給紙ユニット４０により供給される用紙は搬送ローラ３０１によりプリンタユニット３０の印字部３４へと搬送され、印字ユニット３４０ａの直前に設けられたレジストローラ３０２によって一旦保持される。レジストローラ３０２の近傍には図に示していないレジスト前検知スイッチが設置されており、感光体上のトナー像と用紙との位置合わせを行うためにレジストローラ３０２により保持された用紙を所定のタイミングで印字ユニット３４０ａの感光体ドラムと対向する位置まで用紙を搬送する。印字ユニット３４０ａの感光体ドラムの対向位置まで搬送された用紙には感光体ドラム上のトナー像が転写器によって転写される。
【００４２】
印字ユニット３４０ａによってトナー像が転写された用紙は、搬送ベルト３０３によって他の印字ユニット３４０ｂ，３４０ｃ，３４０ｄの対向位置まで順次的に搬送され、各印字ユニット３４０ｂ，３４０ｃ，３４０ｄにより所定のタイミングにて各色のトナー像が転写され、用紙上に多色トナー像が形成される。印字ユニット３４０ａ〜３４０ｄより各色のトナー像が転写された用紙は、一対の定着ローラにより構成される定着ユニット３０４へ向けて搬送され、用紙上のトナー像は定着ユニット３０４の定着ローラにより供給される熱によって定着する。トナー像が定着した用紙は搬送ローラ３０５によって排紙ユニット５０へ向けて搬送される。
【００４３】
また、画像形成装置１は、用紙の両面に画像形成するために両面原稿搬送路３０９を備えており、排紙ユニット５０へ向けて用紙を搬送するときとは逆方向の回転駆動を搬送ローラ３０５に与え、搬送ローラ３０８を介して両面原稿搬送路３０９へと導く。両面原稿搬送路３０９を搬送される用紙は、再度印字部３４へと導かれ、印字ユニット３４０ａ〜３４０ｄにより多色トナー像が用紙の裏面に形成される。多色トナー像は定着ユニット３０４の定着ローラが供給する熱により定着し、搬送ローラ３０５に回転駆動力を与えて多色トナー像が定着した用紙を排紙ユニット５０へ向けて搬送する。
【００４４】
排紙ユニット５０には、排出された用紙を収容するための４つの排紙トレイ５０１，５０２，５０３，５０４が積層されており、本実施の形態では利用者が利用した機能に応じて排出先を振り分けている。すなわち、コピー機能が利用された場合には、排紙ローラ３０７ｄまで用紙が搬送されるように搬送路切替器３０６ａ〜３０６ｃを制御し、排紙ローラ３０７ｄを通じて用紙を排出することで最上層の排紙トレイ５０１に排紙されるようにしてある。また、プリンタ機能が利用された場合には、排紙ローラ３０７ｂ，３０７ｃの何れかまで用紙が搬送されるように搬送路切替器３０６ａ〜３０６ｃを制御し、排紙ローラ３０７ｂ，３０７ｃを通じて用紙を排出することで中段の何れかの排紙トレイ５０２，５０３に排紙されるようにしている。また、ファクシミリ機能が利用された場合には、排紙ローラ３０７ａまで用紙が搬送されるように搬送路切替器３０６ａを制御し、排紙ローラ３０７ａを通じて用紙を排出することで最下層の排紙トレイ５０４に排紙されるようにしている。
【００４５】
図４はスキャナユニット２０の使用時における画像形成装置１の斜視図であり、図５は正面断面図である。図に示したように、スキャナユニット２０の使用時においては、前述したスキャナ駆動部を駆動してスキャナユニット２０が適宜の高さ位置になるまで上昇移動させる。この状態では排紙ユニット５０が備えている最上層の排紙トレイ５０１が露出しており、スキャナユニット２０の操作によりコピーされた用紙をこの排紙トレイ５０１上に排出するようにしている。すなわち、利用者はコピー機能を利用して出力した用紙を容易に取り出せると共に、第三者がプリンタ機能を利用した印刷を行った場合であっても、印刷された用紙は下層の排紙トレイ５０２，５０３等に排出されるため、コピー作業を行っている利用者からは容易に見えない構成となっている。
【００４６】
なお、排紙ユニット５０自体も第２の支持体３２０によって昇降移動可能になしてあるが、スキャナユニット２０の使用時にはプリンタユニット３０に近接する位置で停止させている。
【００４７】
図６は排紙ユニット５０の上昇時における画像形成装置１の斜視図であり、図７は正面断面図である。利用者が印刷した用紙を受け取りにきた場合には、スキャナユニット２０に加えて排紙ユニット５０を上昇移動させる。排紙ユニット５０は支持体３２０により支持されており、該支持体３２０を図に示していないトレイ駆動部により昇降移動させてプリンタユニット３０に近接した位置と離隔した位置との間で排紙ユニット５０を変位させるようにしている。このトレイ駆動部は、スキャナ駆動部と同様に、昇降モータと、該昇降モータの回転軸に取り付けられたピニオン軸と、前記支持体３２０に固設されており、前記ピニオン軸に噛合する案内ガイドとにより構成されており、後述するトレイ駆動制御部から出力される駆動制御信号に応じて昇降モータを回転駆動させ、該昇降モータの回転力を案内ガイドに伝達させることにより排紙ユニット５０を昇降移動させる構成となっている。
【００４８】
排紙ユニット５０を上昇させた状態では、すべての排紙トレイ５０１〜５０４が露出した状態となっており、プリンタ機能又はスキャナ機能により印刷された用紙を受け取りにきた利用者が容易に取り出せるようにしている。
【００４９】
図８は前扉３０１ａ，３０１ｂを開放したときの画像形成装置１の斜視図である。本実施の形態では、通常の使用時において、前扉３０１ａ，３０１ｂを閉じて外部から排紙ユニット５０等が容易に視認できないようにしているが、排出すべき用紙が詰まった場合、メンテナンスを実施する必要がある場合において前扉３０１ａ，３０１ｂを開放できるようにしている。
【００５０】
なお、排出された用紙を保護するという観点から、前扉３０１ａ，３０１ｂは画像形成装置１の管理者のみが開放できるように通常時には施錠しておくことが望ましい。
【００５１】
図９は画像形成装置１の制御系の構成を説明するブロック図である。画像形成装置１はＣＰＵにより構成される主制御部１１を備えており、主制御部１１には、ＲＯＭ１３、ＲＡＭ１４、画像メモリ１５、通信ＩＦ１６、ファクシミリ通信ＩＦ１７、スキャナユニット２０、及びプリンタユニット３０等の各種ハードウェアがバス１２を介して接続されている。ＲＯＭ１３にはこれらのハードウェア各部を制御するための制御プログラムが予め格納されており、主制御部１１が当該制御プログラムを読込んで実行することにより、本発明に係る画像形成装置１として機能させる。ＲＡＭ１４は揮発性の半導体メモリであり、制御プログラムの実行中に生成された各種のデータ、通信ＩＦ１６若しくはファクシミリ通信ＩＦ１７にて受信したデータ、又はスキャナユニット２０に設置された操作パネル２５を通じて入力された各種のデータ等が一時的に記憶される。
【００５２】
画像メモリ１５は、揮発性の半導体メモリであり、通信ＩＦ１６を通じて受信した印刷データに基づいて展開される画像データ、ファクシミリ通信ＩＦ１７を通じて受信したファクシミリデータに基づいて展開される画像データ、スキャナユニット２０により取得される画像データ等が一時的に記憶される。記憶された画像データは主制御部１１が指示するタイミングにて読出され、プリンタユニット３０へ転送される。
【００５３】
通信ＩＦ１６は、外部にパーソナルコンピュータ等の情報処理装置２を接続するための回線終端回路を備えており、通信ネットワークＮ１を介して情報処理装置２から送信された印刷ジョブを受信する。また、画像形成装置１から情報処理装置２に対して報知すべき情報を通信ネットワークＮ１を介して送信する。通信ＩＦ１６ではこのような各種情報の送受信の制御を行う。
【００５４】
ファクシミリ通信ＩＦ１７は、外部にファクシミリ装置を接続するための回線終端回路を備えており、図に示してないファクシミリ通信網を介して送信されたファクシミリデータを受信する。ファクシミリ通信ＩＦ１７は、受信したファクシミリデータを復号化するための復号化回路を備えており、複合化して得られる画像データを前述の画像メモリ１５へ転送する。また、ファクシミリ通信ＩＦ１７は、送信すべきファクシミリデータを符号化するための符号化回路を備えており、該符号化回路にて符号化したファクシミリデータを目的のファクシミリ装置へ送信する。ファクシミリ通信ＩＦ１７は、このようなファクシミリデータの送受信、及び符号化・復号化処理を実行する。
【００５５】
スキャナユニット２０は、ＣＰＵにより構成される副制御部２１を備えており、副制御部２１には、スキャナＩＦ２３、画像読取部２４、操作パネル２５、及び利用者認証部２６が内部バス２２を介して接続されている。
【００５６】
画像読取部２４は、前述した光源ユニット２４ａ、ミラーユニット２４ｂ、及びＣＣＤ読取ユニット２４ｃにより構成されており、原稿台２００に載置された原稿の画像を読取って画像データを取得する。操作パネル２５は、各種の操作キー、操作ボタン等を備える操作部と液晶ディスプレイのような表示装置を備える表示部とにより構成されており、操作部を通じて利用者の指示を受付けるとともに、画像形成装置１から利用者に対して報知すべき情報、操作部を通じて入力された情報等を表示部に表示する。利用者認証部２６は、例えば、指紋を読取るための光学式センサ又は静電式センサと複数の利用者の指紋画像を記憶する半導体メモリとを備えており、このようなセンサにより取得した指紋画像と予め登録された利用者の指紋画像とを照合することにより利用者の認証を行う。すなわち、前記センサが取得した指紋画像から指紋の特徴を表す隆線の流れの方向、又は隆線上の端点若しくは分岐点を抽出し、予め登録された指紋画像上のそれと比較して一致している場合には登録された利用者であると判定し、一致していない場合には登録されていない利用者であると判定するようにしている。
【００５７】
これらスキャナユニット２０内部のハードウェア各部は、スキャナＩＦ２３を介して画像形成装置１内部のハードウェア各部とデータの授受を行う。例えば、操作パネル２５を通じて原稿の読取り指示がなされた場合、副制御部２１は、原稿の読取り開始を指示するための命令を画像読取部２４の光源ユニット２４ａに与え、命令を受けた光源ユニット２４ａは光源を点灯させるとともに、当該命令により指示された範囲の画像を読取るべくステッピングモータ（不図示）を駆動して原稿を走査する。原稿の画像を読取ることによってＣＣＤ読取ユニット２４ｃが取得した画像データは、スキャナＩＦ２３を通じて画像メモリ１５に転送され、印刷用の画像データとして画像メモリ１５内に一時的に格納される。
【００５８】
また、利用者認証部２６による利用者認証の判定結果に係る情報は、スキャナＩＦ２３を介して主制御部１１へ転送され、スキャナユニット２０及び排紙ユニット５０を上昇移動させる際の判断基準として用いられる。
【００５９】
プリンタユニット３０は、ＣＰＵにより構成される副制御部３１を備えており、副制御部３１には、プリンタＩＦ３３、印字部３４、スキャナ駆動制御部３５ｂ、トレイ駆動制御部３７ｂ、及びＨＤＤ装置３６が内部バス３２を介して接続されている。
【００６０】
印字部３４は、前述した各色の印字ユニット３４０ａ〜３４０ｄを備えており、通信ＩＦ１６を通じて受信した印刷ジョブを展開して得られた画像データ、ファクシミリ通信ＩＦ１７を通じて受信したファクシミリデータを復号化して得られた画像データ、スキャナユニット２０の画像読取部２４が取得した画像データに基づいて用紙上に画像形成を行う。
【００６１】
スキャナ駆動制御部３５ｂは、スキャナユニット２０を昇降移動させるために前述のスキャナ駆動部３５ａに与える駆動制御信号を生成する。スキャナ駆動制御部３５ｂが生成する駆動制御信号としては、利用者認証部２６にて利用者を確認した際にスキャナユニット２０を上昇移動させるための上昇指示信号、昇降移動中のスキャナユニット２０を適宜位置で停止させる停止指示信号、利用者による操作が終了した際にスキャナユニット２０を下降移動させるための下降指示信号等である。スキャナ駆動制御部３５ｂにて生成された駆動制御信号はスキャナ駆動部３５ａに送出され、スキャナ駆動部３５ａが備える昇降モータ等を回転駆動させることによりスキャナユニット２０を昇降移動させる構成となっている。同様に、トレイ駆動制御部３７ｂは、排紙ユニット５０を昇降移動させるために前述のトレイ駆動部３７ａに与える駆動制御信号を生成する。トレイ駆動制御部３７ｂが生成する駆動制御信号としては、排紙ユニット５０に排出された用紙を利用者が受け取りに来た際に排紙ユニット５０を上昇させる上昇指示信号、昇降移動中の排紙ユニット５０を適宜位置で停止させる停止指示信号、利用者による用紙の取り出しが終了した際に排紙ユニット５０を下降させる下降指示信号等である。トレイ駆動制御部３７ｂにて生成された駆動制御信号はトレイ駆動部３７ａに送出され、トレイ駆動部３７ａが備える昇降モータ等を回転駆動させることにより排紙ユニット５０を昇降移動させる構成となっている。
【００６２】
ＨＤＤ装置３６は、ディスク状の磁気記録媒体を有する不揮発性の記憶手段であり、その記憶領域の一部は、排紙トレイ５０１〜５０４の設定に係る情報を記憶する排紙トレイ設定テーブル３６ａ、通信ネットワークＮ１上に接続された情報処理装置２，２，…，２の通信アドレスを管理する通信アドレス管理テーブル３６ｂ、用紙の排出状況を管理する出力管理テーブル３６ｃとして利用されており、必要に応じて読み出し処理、書き込み処理が実行される。
【００６３】
前述したプリンタユニット３０内部のハードウェア各部は、プリンタＩＦ３３を介して画像形成装置１内部のハードウェア各部とデータの授受を行う。例えば、画像メモリ１５に記憶された画像データに基づいて印刷を実行する場合、画像メモリ１５から読出された画像データ及び印刷開始を指示する命令が、プリンタＩＦ３３を通じて印字部３４に転送される。印字部３４の各印字ユニット３４０ａ〜３４０ｄは、プリンタＩＦ３３を通じて受けた命令に従って感光体ドラム、帯電器、レーザ書込装置、現像器、転写器等を作動させ、画像メモリ１５から転送されてきた画像データに基づき用紙上に画像形成を行う。
【００６４】
主制御部１１は、このときＨＤＤ装置３６に格納された排紙トレイ設定テーブル３６ａを読出し、使用された機能に応じて排紙先を決定し、決定した排紙先に用紙が排出されるように搬送路切替器３０６ａ〜３０６ｃを制御する。
【００６５】
また、スキャナユニット２０の利用者認証部２６により利用者の存在が確認された場合、主制御部１１は、前述の通信アドレス管理テーブル３６ｂ及び出力管理テーブル３６ｃの読出し処理を行い、確認された利用者が使用している情報処理装置２からの印刷ジョブを受信したか否かを判断し、その印刷ジョブに従って印刷された用紙が排紙ユニット５０に排出されているか否かを判断する。印刷ジョブに従って印刷された用紙が排紙ユニット５０に排出されている場合には、主制御部１１は、プリンタＩＦ３３を介してスキャナ駆動制御部３５ｂ及びトレイ駆動制御部３７ｂに指示を与えて、スキャナユニット２０及び排紙ユニット５０を上昇移動させる。
【００６６】
このように本実施の形態では、排紙トレイ設定テーブル３６ａの設定内容に従って排紙先を定めるようにしているが、排紙トレイ設定テーブル３６ａの設定内容自体は操作パネル２５を利用して任意に変更できるようにしている。
【００６７】
図１０及び図１１は排紙先を設定する際に操作パネル２５の表示部に表示される画面例を示す模式図である。排紙先を設定する際、利用者は操作パネル２５を操作して、操作パネル２５の表示部にユーザ設定画面２５０を表示させる。ユーザ設定画面２５０は、タッチパネル方式のソフトウェアキーを備えており、画面の右端側上部に設けられた実行キー２５１、並びに画面の中央近傍に設けられた各種の設定キー及び表示キーにより構成されている。設定キーにより設定される項目としては、画面のコントラスト、日付、時刻、ファクシミリ通信の相手先の番号、給紙元、排紙先等が挙げられる。また、表示キーにより表示される内容としては、総使用枚数、受信した各種データ（印刷ジョブ及びファクシミリデータ）のリスト等が挙げられる。
【００６８】
何れかの設定キー又は表示キーを押下操作して選択した後、実行キー２５１を押下操作することにより各項目の設定又は表示を行うことができる。
【００６９】
図１０に示したユーザ設定画面２５０において、排紙先を設定するための設定キーが押下操作された後、実行キー２５１が押下操作された場合、図１１に示した如き排紙トレイ設定画面２６０が操作パネル２５の表示部に表示される。排紙トレイ設定画面２６０は、タッチパネル方式のソフトウェアキーを備えており、画面の右端側上部に設けられた実行キー２６１及びキャンセルキー２６２、並びに排紙先を指定するためのチェックボタン２６３により構成されている。本実施の形態では、各機能毎に排紙先を指定できるようにしており、利用者がチェックボタン２６３を押下操作することによって各機能が使用された場合の排紙先を指定する構成としている。
【００７０】
図１１に示した例では、コピー機能が使用された場合の排紙先として４つの排紙トレイ５０１〜５０４の内、最上層の排紙トレイ５０１（第１トレイ）が指定されている。同様に、プリンタ機能が使用された場合の排紙先として中段の２つの排紙トレイ５０２，５０３（第２トレイ、第３トレイ）が指定されており、ファクシミリ機能が使用された場合の排紙先として最下層の排紙トレイ５０４（第４トレイ）が指定されている。
【００７１】
チェックボタン２６３により排紙先が指定された後、実行キー２６１が押下操作された場合、排紙トレイ設定テーブル３６ａの内容が更新される。また、キャンセルキー２６２が押下操作された場合、排紙トレイ設定テーブル３６ａの内容が更新されずに排紙トレイ設定画面２６０が閉じられる。
【００７２】
以下、ＨＤＤ装置３６に格納される各種設定テーブルについて説明する。
【００７３】
図１２は排紙トレイ設定テーブル３６ａの一例を示す概念図である。前述したように本実施の形態では、各機能毎の排紙先を指定できるようにしており、排紙先の情報を排紙トレイ設定テーブル３６ａにより管理している。すなわち、排紙トレイ設定テーブル３６ａでは、各機能（モード）と、その機能が使用された場合に印刷された用紙を排出する排紙先（選択トレイ）とを互いに関連付けて記憶して排紙先の情報を管理している。
【００７４】
図１３は通信アドレス管理テーブル３６ｂの一例を示す概念図である。本実施の形態では、画像形成装置１が印刷ジョブを受信した際にどの利用者が送信した印刷ジョブであるかを把握するために情報処理装置２の通信アドレスと利用者の情報とを関連付けて通信アドレス管理テーブル３６ｂに記憶させている。図１３に示した例では、通信アドレスと、利用者の情報として利用者が所属するグループ名、利用者の氏名、及び利用者の個人情報とを互いに関連付けて記憶している。通信アドレスとしては、ＩＰアドレス（IP : Internet Protocol）、ＭＡＣアドレス（MAC : Media Access Control）等を利用することができる。利用者が所属するグループ名には、例えば、職場内での部門名、通信ネットワークＮ１を構成する構成単位に付された名前等が含まれる。また、利用者の個人情報には、利用者の指紋に関する情報（例えば、イメージデータの格納先、指紋を識別するための情報等）、利用者が画像形成装置１を快適に使用できるようなスキャナユニット２０及び排紙ユニット５０の高さ（上昇移動させた際の停止位置）に関する情報が含まれている。
【００７５】
図１４は出力管理テーブル３６ｃの一例を示す概念図である。画像形成装置１は、印刷した用紙の排出状況を管理するために出力管理テーブル３６ｃを備えている。この出力管理テーブル３６ｃは、印刷ジョブを受信したときの日時、印刷ジョブの送信元を示す通信アドレス、印刷ジョブを送信した利用者の個人情報、印刷された用紙の排出先、及び排出された用紙が取出されたか否かの情報が互いに関連付けて記憶されている。
【００７６】
すなわち、画像形成装置１が印刷ジョブを受信した場合、受信した日時及び送信元の通信アドレスを出力管理テーブル３６ｃに記憶すると共に、通信アドレス管理テーブル３６ｂから送信元の情報処理装置２を使用している利用者の個人情報を読出して出力管理テーブル３６ｃに記憶し、排出先として第２トレイ又は第３トレイを選択して記憶する。また、画像形成装置１は、適宜の時間間隔にて排紙トレイ５０１〜５０４上の用紙の有無を検出するようにしており、検出結果の情報、すなわち、排紙トレイ５０１〜５０４に排出された用紙が受取り済みであるか否かの情報を出力管理テーブル３６ｃに記憶するようにしている。排紙トレイ５０１〜５０４上の用紙の有無は、既知の手法により検出することができる。例えば、発光素子と受光素子とからなる光学センサを各排紙トレイ５０１〜５０４上に設置しておき、用紙が載置されている状態と載置されていない状態との反射光量の違いを受光素子により検出することによって用紙の有無を検出することができる。また、光学センサの代わりに用紙の重みを検出する機械式スイッチを利用したセンサを各排紙トレイに設置する構成であっても良い。
【００７７】
なお、ファクシミリデータを受信した場合には、予め定めた利用者の個人情報、及びその利用者が使用している情報処理装置２の通信アドレスを記憶するようにしており、その利用者が排出されたファクシミリの用紙を取りに来たときにスキャナユニット２０及び排紙ユニット５０を上昇移動させるようにしている。
【００７８】
以下、画像形成装置１により実行される処理をフローチャートを用いて説明する。図１５は画像形成装置１が印刷処理を実行する際の処理手順を説明するフローチャートである。まず、画像形成装置１は、印刷開始の指示があるか否かを判断する（ステップＳ１）。印刷開始の指示があるか否かは、通信ＩＦ１６にて印刷の実行を要求する印刷ジョブを受信したか否か、ファクシミリ通信ＩＦ１７にてファクシミリデータを受信したか否か、又はスキャナユニット２０にて印刷すべき画像データを取得したか否かにより判断することができる。印刷開始の指示がない場合（Ｓ１：ＮＯ）、印刷開始の指示があるまで待機する。
【００７９】
印刷開始の指示があると判断した場合（Ｓ１：ＹＥＳ）、画像データの送信元に係る情報を取得し（ステップＳ２）、印字部３４にて印刷処理を実行する（ステップＳ３）。
【００８０】
次いで、画像形成装置１の主制御部１１は、ステップＳ２において取得した情報を参照することにより印刷ジョブに基づく印刷であるか否かを判断し（ステップＳ４）、印刷ジョブに基づく印刷であると判断した場合（Ｓ４：ＹＥＳ）、印刷した用紙を第２トレイ又は第３トレイに排出する（ステップＳ５）。
【００８１】
印刷ジョブに基づく印刷でないと判断した場合（Ｓ４：ＮＯ）、ファクシミリデータによる印刷であるか否かを判断する（ステップＳ６）。ファクシミリデータの印刷であると判断した場合（Ｓ６：ＹＥＳ）、印刷した用紙を第４トレイに排出する（ステップＳ７）。また、ファクシミリデータの印刷でないと判断した場合（Ｓ６：ＮＯ）、コピー機能による印刷処理であると判断して印刷した用紙を第１トレイに排出する（ステップＳ８）。
【００８２】
図１６は利用者が画像形成装置１を操作する際に画像形成装置１が実行する処理の手順を説明するフローチャートである。まず、画像形成装置１は利用者認証部２６により利用者の存在を検知したか否かを判断する（ステップＳ１１）。利用者の存在を検知していない場合（Ｓ１１：ＮＯ）、そのままの待機状態を保つ。
【００８３】
利用者の存在を検知した場合（Ｓ１１：ＹＥＳ）、利用者認証部２６にて利用者認証を行う（ステップＳ１２）。すなわち、利用者認証部２６により利用者の指紋画像を読み取り、予め登録された指紋画像の特徴と比較し、予め登録された利用者であるか否かを判定する。予め登録された利用者である場合には、その利用者が使用している情報処理装置２の通信アドレスの情報を通信アドレス管理テーブル３６ｂから読み出す。
【００８４】
次いで、画像形成装置１の主制御部１１は出力管理テーブル３６ｃを参照することにより利用者のジョブ履歴があるか否かを判断する（ステップＳ１３）。前ステップにおいて利用者認証を行い、利用者が使用している情報処理装置２の通信アドレスの情報を取得しているため、その通信アドレスの情報を手掛かりとして出力管理テーブル３６ｃを検索することによって前記情報処理装置２から送信された印刷ジョブを受信したか否かを判断することができる。
【００８５】
利用者のジョブ履歴があると判断した場合（Ｓ１３：ＹＥＳ）、すなわち、利用者認証により確認された利用者がプリンタ機能を用いて印刷を行ったと判断した場合、出力管理テーブル３６ｃを参照して排紙先のトレイを確認する（ステップＳ１４）。次いで、主制御部１１は、スキャナ駆動制御部３５ｂに指示を与えてスキャナユニット２０を上昇移動させると共に（ステップＳ１５）、トレイ駆動制御部３７ｂに指示を与えて排紙ユニット５０を上昇移動させる（ステップＳ１６）。このとき、スキャナユニット２０に関しては所定位置（例えば、可動範囲内での最高位）まで上昇するように制御し、排紙ユニット５０に関しては実際に用紙が排出されたトレイが露出するまで上昇移動の制御を行う。
【００８６】
次いで、主制御部１１は排出された用紙が取出し済みであるか否かを判断する（ステップＳ１７）。前述したように、排紙トレイ５０１〜５０４の夫々に光学センサ等のセンサを設けることによって排紙トレイ５０１〜５０４上の用紙の有無を検出することが可能であり、主制御部１１は、当該センサからの出力に基づいて用紙が取出し済みであるか否かを判断することができる。
【００８７】
用紙が取出し済みでないと判断した場合（Ｓ１７：ＮＯ）、用紙が取出されるまで待機し、用紙が取出し済みであると判断した場合（Ｓ１７：ＹＥＳ）、主制御部１１はトレイ駆動制御部３７ｂに指示を与えて排紙ユニット５０を下降移動させると共に（ステップＳ１８）、スキャナ駆動制御部３５ｂに指示を与えてスキャナユニット２０を下降移動させる（ステップＳ１９）。このとき、主制御部１１は、排紙ユニット５０及びスキャナユニット２０が所定位置（例えば、可動範囲内での最下位）まで下降するように制御する。
【００８８】
一方、ステップＳ１３において利用者のジョブ履歴がないと判断した場合（Ｓ１３：ＮＯ）、すなわち、この場合は利用者がスキャナユニット２０を操作してコピー機能、スキャナ機能、ファクシミリ機能を利用すると判断できるため、主制御部１１は、スキャナ駆動制御部３５ｂに指示を与えてスキャナユニット２０を上昇移動させる（ステップＳ２０）。
【００８９】
次いで、主制御部１１はスキャナユニット２０での利用者の操作が終了したか否かを判断する（ステップＳ２１）。操作が終了したか否かは、例えば、コピー処理が終了したか否か、ファクシミリの送信処理が終了したか否かを判断することによって行う。利用者による操作が終了していないと判断した場合（Ｓ２１：ＮＯ）、利用者による操作が終了するまで待機する。
【００９０】
利用者による操作が終了したと判断した場合（Ｓ２１：ＹＥＳ）、操作が終了してから所定時間（例えば、１５秒）が経過したか否かを判断する（ステップＳ２２）。所定時間が経過していないと判断した場合（Ｓ２２：ＮＯ）、所定時間が経過するまで待機する。また、操作が終了してから所定時間が経過したと判断した場合（Ｓ２２：ＹＥＳ）、主制御部１１は、スキャナ駆動制御部３５ｂに指示を与えてスキャナユニット２０を下降移動させる（ステップＳ１９）。
【００９１】
図１７は本発明に係る画像形成装置１の動作を説明する模式図である。前述したように、画像形成装置１は、電子写真方式にて用紙上に画像形成を行うプリンタユニット３０、及び該プリンタユニット３０にて印刷されたシートを排出する排紙ユニット５０が外部から容易に視認できないように、それらの四方を前扉３０１ａ，３０１ｂ、及び外壁部３００により囲うとともに、原稿の画像を読取るスキャナユニット２０により排紙ユニット５０の上側を覆う構成となっている。
【００９２】
スキャナユニット２０の上面には、利用者認証を行うための利用者認証部２６と、利用者からの操作指示を受付け、利用者から受付けた情報及び利用者に対して報知すべき情報を表示する操作パネル２５とが設けられており、利用者認証部２６にて利用者認証されたときに利用者の利用目的を画像形成装置１が判断し、その判断結果に応じたスキャナユニット２０及び排紙ユニット５０の昇降移動の制御を行う。
【００９３】
例えば、情報処理装置２から送信された印刷ジョブを受信した場合、図１７（ａ）に示した如く、スキャナユニット２０を排紙ユニット５０のすぐ上側で停止させたままプリンタユニットにて用紙上に画像形成を行い、画像形成した用紙を排紙ユニット５０へ排出する。そして、前記情報処理装置２の利用者が画像形成装置１の利用者認証部２６にて利用者認証を行った場合、画像形成装置１は、その利用者が排紙ユニット５０に排出された印刷物を受け取りに来たと判断し、操作パネル２５にその旨を表示するとともに、今すぐ印刷物を受取るか否かを利用者に問う表示を行う（図１７（ｂ）参照）。そして、操作パネル２５の操作によって利用者が印刷物の受取りを選択した場合、排紙ユニット５０に排出された用紙を取出し易いようにスキャナユニット２０と排紙ユニット５０とを適宜位置まで上昇させるようにしている（図１７（ｃ）参照）。
【００９４】
また、利用者認証部２６により利用者の存在が確認されたが、その利用者の印刷物が排紙ユニット５０に排出されていない場合、利用者は画像形成装置１のコピー機能、スキャナ機能、又はファクシミリ機能を利用すると判断して、スキャナユニット２０のみを適宜位置まで上昇させるようにしている。
【００９５】
このように本実施の形態では、利用者の利用目的に応じたスキャナユニット２０及び排紙ユニット５０の昇降位置を制御することができるため、例えば、利用目的がスキャナ機能の利用であると判断した場合に、その利用者が使い易い位置までスキャナユニット２０を上昇させて操作性の向上を図り、利用目的がプリンタ機能の利用であると判断した場合には、排出されたシートを取り出しやすいようにスキャナユニット２０及び排紙ユニット５０の双方を上昇移動させることで利便性の向上を図ることができる。また、排紙されている段階では排紙ユニット５０がスキャナユニット２０に覆われているため第三者による情報の漏洩が防止される。
【００９６】
なお、本実施の形態では、利用者認証部２６により指紋の照合を行って利用者を認証する構成としたが、掌紋、虹彩、網膜パターン、静脈パターン、声紋、筆跡、打鍵パターン等の身体的特徴又は行動的特徴を利用して利用者認証を行う構成であっても良い。また、暗証番号、パスワード等を利用して利用者認証を行う構成であっても良い。更に、磁気カード、ＩＣカード、無線タグ等の利用者が携帯する持ち物を利用して利用者認証を行う構成であっても良い。
【図面の簡単な説明】
【００９７】
【図１】本発明に係る画像形成装置を利用した画像形成システムの構成を示す模式図である。
【図２】待機状態における画像形成装置の斜視図である。
【図３】待機状態における画像形成装置の正面断面図である。
【図４】スキャナユニットの使用時における画像形成装置の斜視図である。
【図５】スキャナユニットの使用時における画像形成装置の正面断面図である。
【図６】排紙ユニットの上昇時における画像形成装置の斜視図である。
【図７】排紙ユニットの上昇時における画像形成装置の正面断面図である。
【図８】前扉を開放したときの画像形成装置の斜視図である。
【図９】画像形成装置の制御系の構成を説明するブロック図である。
【図１０】排紙先を設定する際に操作パネルの表示部に表示される画面例を示す模式図である。
【図１１】排紙先を設定する際に操作パネルの表示部に表示される画面例を示す模式図である。
【図１２】排紙トレイ設定テーブルの一例を示す概念図である。
【図１３】通信アドレス管理テーブルの一例を示す概念図である。
【図１４】出力管理テーブルの一例を示す概念図である。
【図１５】画像形成装置により印刷処理を実行する際の処理手順を説明するフローチャートである。
【図１６】利用者が画像形成装置を操作する際に画像形成装置が実行する処理の手順を説明するフローチャートである。
【図１７】本発明に係る画像形成装置の動作を説明する模式図である。
【符号の説明】
【００９８】
１  画像形成装置
２  情報処理装置
１１  主制御部
１２  バス
１３  ＲＯＭ
１４  ＲＡＭ
１５  画像メモリ
１６  通信ＩＦ
２０  スキャナユニット
２１  副制御部
２４  画像読取部
２５  操作パネル
２６  利用者認証部
３０  プリンタユニット
３１  副制御部
３４  印字部
３５ａ  スキャナ駆動部
３７ａ  トレイ駆動部
３６  ＨＤＤ装置
４０  給紙ユニット
５０  排紙ユニット
【図１】
2005084438.tif 000003
【図２】
2005084438.tif 000004
【図３】
2005084438.tif 000005
【図４】
2005084438.tif 000006
【図５】
2005084438.tif 000007
【図６】
2005084438.tif 000008
【図７】
2005084438.tif 000009
【図８】
2005084438.tif 000010
【図９】
2005084438.tif 000011
【図１０】
2005084438.tif 000012
【図１１】
2005084438.tif 000013
【図１２】
2005084438.tif 000014
【図１３】
2005084438.tif 000015
【図１４】
2005084438.tif 000016
【図１５】
2005084438.tif 000017
【図１６】
2005084438.tif 000018
【図１７】
2005084438.tif 000019